(57)【要約】【課題】光学部品をより効果的に冷却することができる投写型映像表示装置を提供する。【解決手段】液晶プロジェクタは、映像を表示するための光を透過させる光学部品と、光学部品を冷却するための冷却風を送風する冷却ファンと、冷却風を流通させるダクト６０とを備えている。ダクト６０は、冷却風を光学部品に向けて送り出すための対向する壁面を有する流出部６３を備え、流出部６３は、冷却ファンからの冷却風が流入する流出部入口と、流入した冷却風が光学部品に向けて流出する流出部出口とを備えている。そして流出部６３は、光が光学部品を透過する方向である光軸方向Ｘ１及び光軸方向Ｘ１に直交する幅方向Ｙ１において、対向する壁面の間隔が流出部入口から流出部出口に向かうにつれて狭くなるように形成されている。【選択図】図６
2010061004.tif 000002
【特許請求の範囲】
【請求項１】
映像を表示するための光を透過させる光学部品と、この光学部品を冷却するための冷却風を送風する冷却ファンと、前記冷却風を流通させるダクトとを備え、このダクトは、前記冷却風を前記光学部品に向けて送り出すための対向する壁面を有する流出部を備え、この流出部は、前記冷却ファンからの前記冷却風が流入する流出部入口と、流入した前記冷却風が前記光学部品に向けて流出する流出部出口とを備える投写型映像表示装置において、
前記流出部は、前記光が前記光学部品を透過する方向である光軸方向及び前記光軸方向に直交する幅方向において、対向する前記壁面の間隔が前記流出部入口から前記流出部出口に向かうにつれて狭くなるように形成されている
ことを特徴とする投写型映像表示装置。
【請求項２】
請求項１に記載の投写型映像表示装置において、
前記流出部は、空間を介して互いに対向する一対の壁部Ａ１及び壁部Ａ２と、壁部Ａ１と壁部Ａ２とをそれぞれ接続して互いに対向する一対の壁部Ｂ１及び壁部Ｂ２とからなり、前記流出部は、前記壁部Ａ１の壁面と前記壁部Ａ２の壁面との間隔、及び前記壁部Ｂ１の壁面と前記壁部Ｂ２の壁面との間隔が、前記流出部入口から前記流出部出口に向かうにつれて狭くなるように形成されている
ことを特徴とする投写型映像表示装置。
【請求項３】
請求項１または２に記載の投写型映像表示装置において、
前記光学部品として、ライトバルブを構成する液晶パネルと、この液晶パネルの光の入射側に設けられた入射側光学素子と、前記液晶パネルの光の出射側に設けられた出射側光学素子とを備え、
前記流出部として、前記冷却風を前記入射側光学素子に向けて送り出すための第１の流出部と、前記冷却風を前記出射側光学素子に向けて送り出すための第２の流出部とを備え、前記第１の流出部と前記第２の流出部とが隣接して設けられている
ことを特徴とする投写型映像表示装置。
【請求項４】
請求項３に記載の投写型映像表示装置において、
前記入射側光学素子として、電圧が印加されるとともに前記電圧に応じて前記光の偏光状態を調整する調整素子と、この調整素子を透過した前記光が入射する偏光板とを備え、
前記光軸方向において、前記第１の流出部が備える前記流出部出口は、前記調整素子と前記偏光板との間隔よりも大きい
ことを特徴とする投写型映像表示装置。
【請求項５】
請求項４に記載の投写型映像表示装置において、
前記入射側光学素子として、前記偏光板を透過した前記光が入射する光学補償板をさらに備え、
前記光軸方向において、前記第１の流出部が備える前記流出部出口は、前記調整素子と前記光学補償板との間隔よりも大きい
ことを特徴とする投写型映像表示装置。
【請求項６】
請求項３〜５のいずれか一項に記載の投写型映像表示装置において、
前記ダクト内を流通する前記冷却風の流れ方向において、複数の前記流出部が隣接して設けられ、
複数の前記流出部の各々が備える前記流出部入口の間には、前記ダクト内に突出する突出部が設けられている
ことを特徴とする投写型映像表示装置。
【請求項７】
請求項６に記載の投写型映像表示装置において、
複数の前記流出部の各々が備える前記流出部入口の間における前記ダクトに前記突出部が形成されている
ことを特徴とする投写型映像表示装置。
【発明の詳細な説明】
【技術分野】
【０００１】
本発明は、映像を表示するための光を透過させる光学部品と、光学部品を冷却するための冷却風を送風する冷却ファンと、冷却風を流通させるダクトとを備え、映像を投写して表示する投写型映像表示装置に関する。
【背景技術】
【０００２】
一般に、液晶プロジェクタ等の投写型映像表示装置は、映像を表示するための光を透過させる光学部品と、光学部品の寿命低下を抑制することを目的として、光学部品を冷却するための冷却風を送風する冷却ファンと、冷却風を流通させるダクトとを備えている。このダクトは、冷却風を光学部品に向けて送り出すための対向する壁面を有する流出部を備えている。
【０００３】
また、光学部品を透過する光の高輝度化に伴い、光学部品の発熱量が増える傾向にあり、光学部品を効果的に冷却するための手段が講じられている。光学部品を効果的に冷却するためには、例えば静圧及び風量の高い冷却ファンを使用することが考えられるが、騒音が増大するという問題がある。
【０００４】
そこで、ダクトが備える流出部の形状を所定の形状とすることにより、光学部品を効果的に冷却するようにしたものが開示されている（例えば、特許文献１参照）。
【特許文献１】特開２００７−２９８８９０号公報
【発明の開示】
【発明が解決しようとする課題】
【０００５】
しかし、光学部品を透過する光の更なる高輝度化や光学部品数の増加による発熱量の増大に伴い、ダクトが備える流出部の形状を上記特許文献１に記載される形状としても、光学部品を十分に冷却することができない場合があるという問題があった。
【０００６】
本発明は、こうした実情に鑑みてなされたものであり、その目的は、光学部品をより効果的に冷却することができる投写型映像表示装置を提供することを目的とする。
【課題を解決するための手段】
【０００７】
請求項１に記載の発明は、映像を表示するための光を透過させる光学部品と、この光学部品を冷却するための冷却風を送風する冷却ファンと、前記冷却風を流通させるダクトとを備え、このダクトは、前記冷却風を前記光学部品に向けて送り出すための対向する壁面を有する流出部を備え、この流出部は、前記冷却ファンからの前記冷却風が流入する流出部入口と、流入した前記冷却風が前記光学部品に向けて流出する流出部出口とを備える投写型映像表示装置において、前記流出部は、前記光が前記光学部品を透過する方向である光軸方向及び前記光軸方向に直交する幅方向において、対向する前記壁面の間隔が前記流出部入口から前記流出部出口に向かうにつれて狭くなるように形成されていることを要旨とする。
【０００８】
この発明によれば、流出部は、光軸方向及び幅方向において、対向する壁面の間隔が流出部入口から流出部出口に向かうにつれて狭くなるように形成されているため、流出部の流出部出口から光学部品に向けて流出する冷却風の風速を向上させることができ、光学部品をより効果的に冷却することができる。
【０００９】
請求項２に記載の発明は、請求項１に記載の投写型映像表示装置において、前記流出部は、空間を介して互いに対向する一対の壁部Ａ１及び壁部Ａ２と、壁部Ａ１と壁部Ａ２とをそれぞれ接続して互いに対向する一対の壁部Ｂ１及び壁部Ｂ２とからなり、前記流出部は、前記壁部Ａ１の壁面と前記壁部Ａ２の壁面との間隔、及び前記壁部Ｂ１の壁面と前記壁部Ｂ２の壁面との間隔が、前記流出部入口から前記流出部出口に向かうにつれて狭くなるように形成されていることを要旨とする。
【００１０】
この発明によれば、流出部は、一対の壁部Ａ１，Ａ２の壁面の間隔、及び他の一対の壁部Ｂ１，Ｂ２の壁面との間隔が、流出部入口から流出部出口に向かうにつれて狭くなるように形成されている。このため、例えば断面矩形状の流出部を絞ることにより、流出部の流出部出口から光学部品に向けて流出する冷却風の風速を向上させることができる。
【００１１】
請求項３に記載の発明は、請求項１または２に記載の投写型映像表示装置において、前記光学部品として、ライトバルブを構成する液晶パネルと、この液晶パネルの光の入射側に設けられた入射側光学素子と、前記液晶パネルの光の出射側に設けられた出射側光学素子とを備え、前記流出部として、前記冷却風を前記入射側光学素子に向けて送り出すための第１の流出部と、前記冷却風を前記出射側光学素子に向けて送り出すための第２の流出部とを備え、前記第１の流出部と前記第２の流出部とが隣接して設けられていることを要旨とする。
【００１２】
この発明によれば、流出部として、冷却風を入射側光学素子に向けて送り出すための第１の流出部と、冷却風を前記出射側光学素子に向けて送り出すための第２の流出部とを備え、第１の流出部と第２の流出部とが隣接して設けられている。このため、液晶パネルを介して設けられた入射側光学素子及び出射側光学素子をより効果的に冷却することができる。
【００１３】
請求項４に記載の発明は、請求項３に記載の投写型映像表示装置において、前記入射側光学素子として、電圧が印加されるとともに前記電圧に応じて前記光の偏光状態を調整する調整素子と、この調整素子を透過した前記光が入射する偏光板とを備え、前記光軸方向において、前記第１の流出部が備える前記流出部出口は、前記調整素子と前記偏光板との間隔よりも大きいことを要旨とする。
【００１４】
この発明によれば、光軸方向において、第１の流出部が備える流出部出口は、調整素子と偏光板との間隔よりも大きいため、第１の流出部により調整素子及び偏光板に向けて送り出す冷却風の風量を増大させることができる。
【００１５】
請求項５に記載の発明は、請求項４に記載の投写型映像表示装置において、前記入射側光学素子として、前記偏光板を透過した前記光が入射する光学補償板をさらに備え、前記光軸方向において、前記第１の流出部が備える前記流出部出口は、前記調整素子と前記光学補償板との間隔よりも大きいことを要旨とする。
【００１６】
この発明によれば、光軸方向において、第１の流出部が備える流出部出口は、調整素子と光学補償板との間隔よりも大きいため、第１の流出部により調整素子、偏光板、及び光学補償板に向けて送り出す冷却風の風量を増大させることができる。
【００１７】
請求項６に記載の発明は、請求項３〜５のいずれか一項に記載の投写型映像表示装置において、前記ダクト内を流通する前記冷却風の流れ方向において、複数の前記流出部が隣接して設けられ、複数の前記流出部の各々が備える前記流出部入口の間には、前記ダクト内に突出する突出部が設けられていることを要旨とする。
【００１８】
この発明によれば、複数の前記流出部の各々が備える前記流出部入口の間には、前記ダクト内に突出する突出部が設けられている。このため、ダクト内を流通する冷却風が突出部に衝突することにより、ダクト内を流通する冷却風の流れ方向において上流側に設けられた流出部の流出部入口に冷却風が流入し易くなる。従って、入射側光学素子に向けて送り出す冷却風の風量を増大させることができる。
【００１９】
請求項７に記載の発明は、請求項６に記載の投写型映像表示装置において、複数の前記流出部の各々が備える前記流出部入口の間における前記ダクトに前記突出部が形成されていることを要旨とする。
【００２０】
この発明によれば、突出部は、複数の前記流出部の各々が備える前記流出部入口の間におけるダクトに形成されているため、ダクト以外の部材を必要とせずにダクト内に突出する上記の突出部を設けることができる。
【発明の効果】
【００２１】
本発明によれば、流出部の流出部出口から光学部品に向けて流出する冷却風の風速を向上させることができ、光学部品をより効果的に冷却することができる。
【発明を実施するための最良の形態】
【００２２】
図面を参照して、本発明の投写型映像表示装置を液晶プロジェクタとして具体化した実施形態について説明する。本発明の実施形態に係る投写型映像表示装置は、同表示装置の前方に設けられるスクリーンへ光を投射することにより映像を投写して表示し、ライトバルブとして液晶を用いる液晶プロジェクタ１である。
【００２３】
液晶プロジェクタ１は、図１に示すように、ランプ１１、インテグレータレンズ１２、偏光変換素子１３、複数枚のコンデンサレンズ１４、複数枚のミラー１５、ダイクロイックミラー１６，１７、液晶ライトバルブ２０，３０，４０、ダイクロイックプリズム１８、及び投写レンズ１９を備えている。以下、これらの光学部品を具体的に説明する。
【００２４】
光を出射するランプ１１は、石英ガラスにより形成された発光管１１ａ内に、水銀とハロゲンガスの混合物または水銀とハロゲン化物の混合物が封入された超高圧水銀ランプである。ランプ１１から所定方向のみに光が出射されるように、発光管１１ａはリフレクタ１１ｂにより覆われている。
【００２５】
インテグレータレンズ１２は、耐熱性ガラスにより形成された２枚のフライアイレンズ１２ａ，１２ｂにより構成された光学部品である。ランプ１１から出射された光がインテグレータレンズ１２を透過することにより、その光の照度分布が均一化される。
【００２６】
偏光変換素子１３は、偏光分離膜と位相差板とを有し、ランプ１１から出射された光を直線偏光に変換するための光学部品である。具体的には、偏光変換素子１３は、偏光分離膜によりＰ偏光とＳ偏光を分離するとともに、位相差板によりＰ偏光及びＳ偏光のいずれかの位相をずらすことにより、液晶ライトバルブ２０，３０，４０に入射する光を直線偏光とする。
【００２７】
コンデンサレンズ１４は、光が透過する光学部品の大きさに応じて、ランプ１１から出射された光を集光させるレンズである。また、ミラー１５は、ランプ１１から出射された光を反射することにより光を液晶ライトバルブ２０，３０，４０、ダイクロイックプリズム１８、及び投写レンズ１９へ導くための鏡である。
【００２８】
ダイクロイックミラー１６は、赤色及び緑色に対応する波長の光を反射する鏡であって、ダイクロイックミラー１７は、緑色に対応する波長の光を反射する鏡である。従って、ランプ１１から出射された白色光から、ダイクロイックミラー１６により青色に対応する波長の光（以下、「青色光」）が分離されるとともに、ダイクロイックミラー１７により赤色に対応する波長の光（以下、「赤色光」）と緑色に対応する波長の光（以下、「緑色光」）が分離される。
【００２９】
液晶ライトバルブ２０は、無機偏光板２１、入射側偏光板２２、光学補償板２３、液晶パネル２４、プリ偏光板２５、及び出射側偏光板２６により構成されており、液晶ライトバルブ２０を青色光が透過することにより、青色の映像が生成される。液晶ライトバルブ２０に光が入射する方向から、無機偏光板２１、入射側偏光板２２、光学補償板２３、液晶パネル２４、プリ偏光板２５、出射側偏光板２６の順に設けられている。従って、無機偏光板２１、入射側偏光板２２、及び光学補償板２３は、液晶パネル２４の光の入射側に設けられた入射側光学素子２０ａであって、プリ偏光板２５及び出射側偏光板２６は、液晶パネル２４の光の出射側に設けられた出射側光学素子２０ｂである。
【００３０】
また、液晶ライトバルブ３０は、無機偏光板３１、入射側偏光板３２、光学補償板３３、液晶パネル３４、プリ偏光板３５、出射側偏光板３６、及びＹｅ変調素子３７により構成されており、液晶ライトバルブ３０を緑色光が透過することにより、緑色の映像が生成される。液晶ライトバルブ３０に光が入射する方向から、Ｙｅ変調素子３７、無機偏光板３１、入射側偏光板３２、光学補償板３３、液晶パネル３４、プリ偏光板３５、出射側偏光板３６の順に設けられている。従って、無機偏光板３１、入射側偏光板３２、光学補償板３３、及びＹｅ変調素子３７は、液晶パネル３４の光の入射側に設けられた入射側光学素子３０ａであって、プリ偏光板３５及び出射側偏光板３６は、液晶パネル３４の光の出射側に設けられた出射側光学素子３０ｂである。
【００３１】
また、液晶ライトバルブ４０は、入射側偏光板４２、光学補償板４３、液晶パネル４４、プリ偏光板４５、及び出射側偏光板４６により構成されており、液晶ライトバルブ４０を赤色光が透過することにより、赤色の映像が生成される。液晶ライトバルブ４０に光が入射する方向から、入射側偏光板４２、光学補償板４３、液晶パネル４４、プリ偏光板４５、出射側偏光板４６の順に設けられている。従って、入射側偏光板４２及び光学補償板４３は、液晶パネル４４の光の入射側に設けられた入射側光学素子４０ａであって、プリ偏光板４５及び出射側偏光板４６は、液晶パネル４４の光の出射側に設けられた出射側光学素子４０ｂである。
【００３２】
無機偏光板２１，３１は、反射型の偏光板であって、入射する偏光を直線偏光として出射させる光学素子である。また、入射側偏光板２２，３２，４２は、吸収型の偏光板であって、映像のコントラストを向上させるために、光学補償板２３，３３，４３や液晶パネル２４，３４，４４を透過せずに反射した不要な反射光を吸収する光学素子である。また、光学補償板２３，３３，４３は、液晶パネル２４，３４，４４を透過する光の複屈折を補償する光学素子である。
【００３３】
液晶パネル２４，３４，４４は、液晶と、液晶に電圧を印加するための透明電極と、液晶を挟むガラスとにより形成された光学部品である。また、プリ偏光板２５，３５，４５は、光量を減少させることにより出射側偏光板２６，３６，４６の負担を軽減するための光学素子である。また、出射側偏光板２６，３６，４６は、映像のコントラストを向上させるために、液晶パネル２４，３４，４４と出射側偏光板２６，３６，４６の間において乱反射した光や、ダイクロイックプリズム１８を透過せずに反射した不要な反射光を吸収する光学素子である。
【００３４】
Ｙｅ変調素子３７は、緑色光に含まれる黄色に対応する波長の光（以下、「黄色光」）をＹｅ変調素子３７に印加された電圧に応じて変調する光学素子であって、Ｙｅ変調素子３７に入射する黄色光の偏光状態を調整する調整素子である。即ち、Ｙｅ変調素子３７は、液晶ライトバルブ３０を透過する所定の波長領域を有する緑色光について、緑色光の波長領域に含まれるとともに、緑色光の波長領域よりも狭い波長領域を有する黄色光の偏光状態を、印加される電圧に応じて変調する光学素子である。具体的には、Ｙｅ変調素子は、入射する黄色光の直線偏光を、光軸を中心として０〜９０度の範囲内で回転させて出射する光学素子や、入射する黄色光の直線偏光を、楕円偏光または円偏光に変換する光学素子である。液晶プロジェクタ１はこのようなＹｅ変調素子を備えることにより、光学部品の部品点数増加によるコストアップを抑制しながらも色再現性の高い映像を表示することができる。
【００３５】
ダイクロイックプリズム１８は、各液晶ライトバルブ２０，３０，４０を透過することによって生成された各色の映像を合成することにより、フルカラーの映像を生成するものである。具体的には、ダイクロイックプリズム１８は、三方から入射する各色の光のうち、青色光と赤色光を反射して液晶プロジェクタ１の前方へ出射するとともに、緑色光を透過させて液晶プロジェクタ１の前方へ出射する。
【００３６】
投写レンズ１９は、複数枚のレンズにより構成され、ダイクロイックプリズム１８から出射された光が投写レンズ１９に入射することにより、液晶プロジェクタ１の前方に光を出射して、フルカラーの映像を投写して表示するものである。
【００３７】
以上のように構成された光学部品は、液晶プロジェクタ１内に設けられた支持部材に取り付けられて支持されている。具体的には、図２及び図３に示すように、インテグレータレンズ１２、偏光変換素子１３、コンデンサレンズ１４、ミラー１５、ダイクロイックミラー１６，１７は、樹脂製のベース部材５１に取り付けられている。また、入射側偏光板２２，３２，４２及び光学補償板２３，３３，４３は、保持部材５２を用いてベース部材５１に取り付けられている。
【００３８】
また、液晶パネル２４，３４，４４と、プリ偏光板２５，３５，４５及び出射側偏光板２６，３６，４６と、ダイクロイックプリズム１８とは、ねじ等を用いて互いに固定されている。このようにして、ダイクロイックプリズム１８とともに固定されている光学部品は、図２及び図４に示すように、プリズムユニット５３として一体的に構成されている。
【００３９】
また、図２及び図５に示すように、ベース部材５１及びプリズムユニット５３の近傍には樹脂製のダクト６０が設けられており、上記の光学部品に冷却風を案内するダクト６０には、光学部品を冷却するための冷却風を送風する冷却ファン７１，７２が接続されている。なお図面において、冷却ファン７１，７２を構成する羽根は省略されている。以下に、冷却ファン７１，７２が接続されるダクト６０の具体的な構成について説明する。
【００４０】
図６はダクト６０の外観を示す斜視図であって、図７はダクト６０の分解斜視図であって、図８はダクト６０の平面図である。また、図９は図８のＡ−Ａ部分を断面としたダクト６０の断面斜視図であって、図１０は図８のＢ−Ｂ部分を断面としたダクト６０の断面斜視図である。
【００４１】
図６に示すように、ダクト６０は、冷却ファン７１，７２によって送風された冷却風がダクト６０内に流入するための流入部６１，６２と、冷却風を光学部品に向けて送り出すための対向する壁面Ｗ１，Ｗ２（図８参照）を有する流出部６３〜６８とを備えている。また、図７に示すように、ダクト６０は二つのダクト部材６０ａ，６０ｂからなり、ダクト６０には、ダクト６０内の冷却風の経路を構成するために板金製の仕切り板８１が設けられている。
【００４２】
ダクト６０の流入部６１，６２は、冷却ファン７１，７２を接続するための壁部からなり、図２及び図５に示すように、流入部６１には、冷却ファン７１が接続され、流入部６２には、冷却ファン７２が接続される構成となっている。
【００４３】
ダクト６０の流出部６３は、図６に示すように、光軸方向Ｘ１において空間を介して互いに対向する一対の壁部Ａ１，Ａ２と、壁部Ａ１と壁部Ａ２とをそれぞれ接続して幅方向Ｙ１において互いに対向する一対の壁部Ｂ１，Ｂ２とからなっている。ここでいう光軸方向Ｘ１とは、流出部６３，６４が冷却風を送り出す対象とする光学部品である液晶ライトバルブ３０において、光が透過する方向である。また、幅方向Ｙ１は、光軸方向Ｘ１に直交する方向と流出部６３，６４において冷却風が流通する方向Ｚ（図９〜図１２参照）とに直交する方向である。
【００４４】
また、流出部６３は、図９に示すように、冷却ファン７２からの冷却風が流出部６３に流入する流出部入口６３ａと、流入した冷却風が流出部６３から光学部品に向けて流出する流出部出口６３ｂとを備えている。流出部入口６３ａは、流出部６３を構成する壁面Ｗ１，Ｗ２により形成されたダクト本体側の空間であって、流出部出口６３ｂは、流出部６３を構成する壁面Ｗ１，Ｗ２により形成された光学部品側の空間である。
【００４５】
また流出部６３と同様に、流出部６４は、壁部Ａ１，Ａ２，Ｂ１，Ｂ２とからなり、冷却ファン７２からの冷却風が流出部６４に流入する流出部入口６４ａと、流入した冷却風が流出部６３から光学部品に向けて流出する流出部出口６４ｂとを備えている。
【００４６】
以上のように構成された流出部６３，６４は、図１１に示すように、液晶ライトバルブ３０に向けて冷却風を送り出すように設けられている。具体的には、流出部６３は、流出部出口６３ｂが液晶ライトバルブ３０を構成する入射側光学素子３０ａに向けて開口するように設けられており、流出部６４は、流出部出口６４ｂが液晶ライトバルブ３０を構成する出射側光学素子３０ｂに向けて開口するように設けられている。
【００４７】
ダクト６０の流出部６５，６６は、図６に示すように、光軸方向Ｘ２において空間を介して互いに対向する一対の壁部Ａ１，Ａ２と、壁部Ａ１と壁部Ａ２とをそれぞれ接続して幅方向Ｙ２において互いに対向する一対の壁部Ｂ１，Ｂ２とからなっている。ここでいう光軸方向Ｘ２とは、流出部６５，６６が冷却風を送り出す対象とする光学部品である液晶ライトバルブ４０において、光が透過する方向である。また、幅方向Ｙ２は、光軸方向Ｘ２に直交する方向と流出部６５，６６において冷却風が流通する方向Ｚとに直交する方向である。
【００４８】
流出部６５，６６は流出部６３，６４と同様に構成されている。即ち、図１０に示すように、流出部６５は、冷却ファン７１からの冷却風が流出部６５に流入する流出部入口６５ａと、流入した冷却風が流出部６５から光学部品に向けて流出する流出部出口６５ｂとを備えている。また、流出部６６も、冷却ファン７１からの冷却風が流出部６６に流入する流出部入口６６ａと、流入した冷却風が流出部６６から光学部品に向けて流出する流出部出口６６ｂとを備えている。
【００４９】
以上のように構成された流出部６５，６６は、図１２に示すように、液晶ライトバルブ４０に向けて冷却風を送り出すように設けられている。具体的には、流出部６５は、流出部出口６５ｂが液晶ライトバルブ４０を構成する入射側光学素子４０ａに向けて開口するように設けられており、流出部６６は、流出部出口６６ｂが液晶ライトバルブ４０を構成する出射側光学素子４０ｂに向けて開口するように設けられている。
【００５０】
ダクト６０の流出部６７，６８は、図６に示すように、光軸方向Ｘ３において空間を介して互いに対向する一対の壁部Ａ１，Ａ２と、壁部Ａ１と壁部Ａ２とをそれぞれ接続して幅方向Ｙ２において互いに対向する一対の壁部Ｂ１，Ｂ２とからなっている。ここでいう光軸方向Ｘ３とは、流出部６７，６８が冷却風を送り出す対象とする光学部品である液晶ライトバルブ２０において、光が透過する方向である。また、幅方向Ｙ３は、光軸方向Ｘ３に直交する方向と流出部６７，６８において冷却風が流通する方向Ｚとに直交する方向である。
【００５１】
流出部６７，６８はその他の流出部６３〜６６と同様に構成されている。即ち、図１０に示すように、流出部６７は、冷却ファン７１からの冷却風が流出部６７に流入する流出部入口６７ａと、流入した冷却風が流出部６７から光学部品に向けて流出する流出部出口６７ｂとを備えている。また、流出部６８も、冷却ファン７１からの冷却風が流出部６８に流入する流出部入口６８ａと、流入した冷却風が流出部６８から光学部品に向けて流出する流出部出口６８ｂとを備えている。
【００５２】
以上のように構成された流出部６７，６８は、図１２に示すように、液晶ライトバルブ２０に向けて冷却風を送り出すように設けられている。具体的には、流出部６７は、流出部出口６７ｂが液晶ライトバルブ２０を構成する入射側光学素子２０ａに向けて開口するように設けられており、流出部６８は、流出部出口６８ｂが液晶ライトバルブ２０を構成する出射側光学素子２０ｂに向けて開口するように設けられている。
【００５３】
また、図９に示すように、流出部６４には、流出部出口６４ｂ側（即ち、光学部品側）において切り欠き６４ｃが設けられている。具体的には、流出部６４を構成する壁部Ａ２，Ｂ１，Ｂ２が他の壁部Ａ１よりも光学部品側に突出している。このように構成することにより、ダクト６０における流出部６４の位置を変更せずに、流出部出口６４ｂから流出する冷却風の風向を調整することができる。なお、流出部出口６６ｂ〜６８ｂから流出する冷却風の風向を調整するために、流出部６６〜６８にも同様の切り欠きが設けられている。
【００５４】
以上のように液晶プロジェクタ１は、映像を表示するための光を透過させる光学部品（即ち、液晶ライトバルブ２０，３０，４０）と、光学部品を冷却するための冷却風を送風する冷却ファン７１，７２と、冷却風を流通させるダクト６０とを備えている。そして、ダクト６０は、冷却風を光学部品に向けて送り出すための対向する壁面Ｗ１，Ｗ２を有する流出部６３〜６８を備え、流出部６３〜６８は、冷却ファン７１，７２からの冷却風が流入する流出部入口６３ａ〜６８ａと、流入した冷却風が光学部品に向けて流出する流出部出口６３ｂ〜６８ｂとを備えている。
【００５５】
ここで、本実施形態においては、流出部６３が、光軸方向Ｘ１において対向する壁面Ｗ１が流出部入口６３ａから流出部出口６３ｂに向かうにつれて狭くなるとともに、光軸方向Ｘ１に直交する幅方向Ｙ１において対向する壁面Ｗ２の間隔が流出部入口６３ａから流出部出口６３ｂに向かうにつれて狭くなるように形成されていることに特徴がある。
【００５６】
具体的には、流出部６３は、光が液晶ライトバルブ３０を透過する方向である光軸方向Ｘ１において、壁部Ａ１の壁面Ｗ１と壁部Ａ２の壁面Ｗ１との間隔が、流出部入口６３ａから流出部出口６３ｂに向かうにつれて狭くなるように形成されている。さらに流出部６３は、光軸方向Ｘ１に直交する幅方向Ｙ１において、壁部Ｂ１の壁面Ｗ２と壁部Ｂ２の壁面Ｗ２との間隔が、流出部入口６３ａから流出部出口６３ｂに向かうにつれて狭くなるように形成されている。
【００５７】
なお、各流出部６４〜６８は流出部６３と同様に構成されている。具体的には、流出部６４は、光軸方向Ｘ１において対向する壁面Ｗ１が流出部入口６４ａから流出部出口６４ｂに向かうにつれて狭くなるとともに、幅方向Ｙ１において対向する壁面Ｗ２の間隔が流出部入口６４ａから流出部出口６４ｂに向かうにつれて狭くなるように形成されている。また、流出部６５，６６は、光軸方向Ｘ２において対向する壁面Ｗ１が流出部入口６５ａ，６６ａから流出部出口６５ｂ，６６ｂに向かうにつれて狭くなるとともに、幅方向Ｙ２において対向する壁面Ｗ２の間隔が流出部入口６５ａ，６６ａから流出部出口６５ｂ，６６ｂに向かうにつれて狭くなるように形成されている。また、流出部６７，６８は、光軸方向Ｘ３において対向する壁面Ｗ１が流出部入口６７ａ，６８ａから流出部出口６７ｂ，６８ｂに向かうにつれて狭くなるとともに、幅方向Ｙ３において対向する壁面Ｗ２の間隔が流出部入口６７ａ，６８ａから流出部出口６７ｂ，６８ｂに向かうにつれて狭くなるように形成されている。
【００５８】
即ち、各流出部６３〜６８は、図１３の模式図に示すように、光軸方向及び幅方向において、対向する壁面の間隔が流出部入口から流出部出口に向かうにつれて狭くなるように形成されている。このような構成によれば、各流出部６３〜６８における冷却風の風速を向上させることができ、流出部６３においては流出部出口６３ｂから光学部品である入射側光学素子３０ａに向けて流出する冷却風の風速を向上させることができる。
【００５９】
また、本実施形態において、ダクト６０は、冷却風を入射側光学素子３０ａに向けて送り出すための流出部６３と、冷却風を出射側光学素子３０ｂに向けて送り出すための流出部６４とを備え、流出部６３と流出部６４とが隣接して設けられている。同様に、ダクト６０は、冷却風を入射側光学素子４０ａに向けて送り出すための流出部６５と、冷却風を出射側光学素子４０ｂに向けて送り出すための流出部６６とを備え、流出部６５と流出部６６とが隣接して設けられている。また、ダクト６０は、冷却風を入射側光学素子２０ａに向けて送り出すための流出部６７と、冷却風を出射側光学素子２０ｂに向けて送り出すための流出部６８とを備え、流出部６７と流出部６８とが隣接して設けられている。
【００６０】
また、本実施形態においては、液晶プロジェクタ１は、入射側光学素子３０ａとして、印加された電圧に応じて黄色光の偏光状態を調整するＹｅ変調素子３７と、Ｙｅ変調素子３７を透過した光が入射する偏光板（即ち、無機偏光板３１及び入射側偏光板３２）と、無機偏光板３１及び入射側偏光板３２を透過した光が入射する光学補償板３３を備えている。そして、図１１に示すように、光軸方向Ｘ１において、流出部６３が備える流出部出口６３ｂは、Ｙｅ変調素子３７と入射側偏光板３２との間隔Ｄ１、また、Ｙｅ変調素子３７と光学補償板３３との間隔Ｄ２よりも大きくなるように構成されている。このような構成によれば、流出部６３によりＹｅ変調素子３７、無機偏光板３１、入射側偏光板３２、及び光学補償板３３に向けて送り出す冷却風の風量を増大させることができる。
【００６１】
なお、流出部６３の対向する壁面Ｗ１は、流出部入口６３ａから流出部出口６３ｂに向かうにつれて狭くなるため、光軸方向Ｘ１において、流出部６３が備える流出部入口６３ａは、入射側光学素子３０ａの幅（即ち、Ｙｅ変調素子３７の入射面３７ａから光学補償板３３の出射面３３ｂまでの距離）よりも大きい。同様に、流出部６４が備える流出部入口６４ａは、出射側光学素子３０ｂの幅（即ち、プリ偏光板３５の入射面３５ａから出射側偏光板３６の出射面３６ｂまでの距離）よりも大きい。
【００６２】
また、本実施形態においては、図９に示すように、ダクト６０内を流通する冷却風の流れ方向において、複数の流出部６３，６４が隣接して設けられ、複数の流出部６３，６４の各々が備える流出部入口６３ａ，６４ａの間におけるダクト６０には、ダクト６０内に突出する突出部６０ｃが設けられている。このような構成によれば、ダクト６０内を流通する冷却風が突出部６０ｃに衝突することにより、ダクト６０内を流通する冷却風の流れ方向において上流側に設けられた流出部６３の流出部入口６３ａに冷却風が流入し易くなる。
【００６３】
なお、図１０に示すように、流出部６５，６６の各々が備える流出部入口６５ａ，６６ａの間、及び流出部６７，６８の各々が備える流出部入口６７ａ，６８ａの間においても突出部６０ｃが設けられている。従って、流出部入口６３ａに流入する冷却風と同様に、ダクト６０内を流通する冷却風が突出部６０ｃに衝突することにより、ダクト６０内を流通する冷却風の流れ方向において上流側に設けられた流出部６５，６７の流出部入口６５ａ，６７ａに冷却風が流入し易くなる。
【００６４】
本実施形態の液晶プロジェクタ１によれば、以下の効果を奏することができる。
（１）流出部６３は、光が液晶ライトバルブ３０を透過する方向である光軸方向Ｘ１及び光軸方向Ｘ１に直交する幅方向Ｙ１において、壁面Ｗ１の間隔及び壁面Ｗ２が流出部入口６３ａから流出部出口６３ｂに向かうにつれて狭くなるように形成されている。このため、流出部６３の流出部出口６３ｂから入射側光学素子３０ａに向けて流出する冷却風の風速を向上させることができ、入射側光学素子３０ａをより効果的に冷却することができる。具体的には、光学補償板３３と、入射側偏光板３２と、無機偏光板３１と、さらには無機偏光板３１と１ｍｍの間隔を空けて設けられたＹｅ変調素子３７を効果的に冷却することができる。また、流出部６４〜６８も同様に構成されているため、各流出部出口６４ｂ〜６８ｂから光学部品に向けて流出する冷却風の風速を向上させることができ、同様の効果を得ることができる。
【００６５】
（２）流出部６３は、壁部Ａ１の壁面Ｗ１と壁部Ａ２の壁面Ｗ１との間隔、及び壁部Ｂ１の壁面Ｗ２と壁部Ｂ２の壁面Ｗ２との間隔が、流出部入口６３ａから流出部出口６３ｂに向かうにつれて狭くなるように形成されている。このため、断面矩形状の流出部６３を絞ることにより、流出部６３の流出部出口６３ｂから入射側光学素子３０ａに向けて流出する冷却風の風速を向上させることができる。また、流出部６４〜６８も同様に構成されているため、同様の効果を得ることができる。
【００６６】
（３）冷却風を入射側光学素子３０ａに向けて送り出すための流出部６３と、冷却風を出射側光学素子３０ｂに向けて送り出すための流出部６４とを備え、流出部６３と流出部６４とが隣接して設けられている。このため、隣接して設けられた流出部６３と流出部６４により、液晶パネル３４を介して設けられた入射側光学素子３０ａ及び出射側光学素子３０ｂを冷却することができる。また同様に、流出部６５と流出部６６により、液晶パネル４４を介して設けられた入射側光学素子４０ａ及び出射側光学素子４０ｂを冷却することができ、流出部６７と流出部６８により、液晶パネル２４を介して設けられた入射側光学素子２０ａ及び出射側光学素子２０ｂを冷却することができる。
【００６７】
（４）光軸方向Ｘ１において、流出部６３が備える流出部出口６３ｂは、Ｙｅ変調素子３７と光学補償板３３との間隔Ｄ２よりも大きい。このため、流出部６３によりＹｅ変調素子３７、無機偏光板３１、入射側偏光板３２、及び光学補償板３３に向けて送り出す冷却風の風量を増大させることができ、入射側光学素子３０ａをより一層効果的に冷却することができる。
【００６８】
（５）流出部６３，６４の各々が備える流出部入口６３ａ，６４ａの間には、ダクト６０内に突出する突出部６０ｃが設けられている。このため、流出部６３の流出部入口６３ａに冷却風が流入し易くなり、入射側光学素子３０ａに向けて送り出す冷却風の風量を増大させることができ、入射側光学素子３０ａをさらにより一層効果的に冷却することができる。また、流出部入口６５ａ，６６ａの間、及び流出部入口６７ａ，６８ａの間にも突出部６０ｃが設けられているため、同様の効果を得ることができる。
【００６９】
（６）流出部入口６３ａ，６４ａの間におけるダクト６０に突出部６０ｃが形成されているため、ダクト６０以外の部材を必要とせずにダクト６０内に突出する突出部６０ｃを設けることができる。
【００７０】
（その他の実施形態）
本発明は、上記実施形態に限定されるものではなく、本発明の趣旨に基づいて種々の設計変更をすることが可能であり、それらを本発明の範囲から除外するものではない。例えば、以下に示すように変更して実施することもできる。
【００７１】
・上記実施形態においては、突出部６０ｃはダクト６０に形成されていたが、ダクト６０以外の部材を用いて、流出部入口６３ａ，６４ａの間に、ダクト６０内に突出する着脱自在な突出部を設けるように構成してもよい。
【００７２】
・上記各実施形態においては、光軸方向Ｘ１において、流出部６３が備える流出部出口６３ｂは、Ｙｅ変調素子３７と光学補償３３板との間隔Ｄ２よりも大きい構成であったが、流出部出口６３ｂの大きさを適宜変更してもよい。
【００７３】
例えば、光軸方向Ｘ１において、流出部６３が備える流出部出口６３ｂが、Ｙｅ変調素子３７と光学補償３３板との間隔Ｄ２よりも小さく、Ｙｅ変調素子３７と入射側偏光板３２との間隔Ｄ１よりも大きくなるように構成してもよい。このように構成しても、流出部６３によりＹｅ変調素子３７、無機偏光板３１、及び入射側偏光板３２に向けて送り出す冷却風の風量を増大させることができる。
【００７４】
・上記各実施形態においては、流出部６３は、冷却風を入射側光学素子３０ａに向けて送り出すものであって、流出部６４は、冷却風を出射側光学素子３０ｂに向けて送り出すものであったが、その他の光学部品に冷却風を送り出すものであってもよい。即ち、ダクト６０が備える流出部の個数や、ダクト６０における流出部の位置は適宜変更してもよく、例えばダクト６０が冷却風を入射側光学素子３０ａ及び出射側光学素子３０ｂに向けて送り出すための対向する壁面を有する１つの流出部を備えていてもよい。
【００７５】
・上記各実施形態においては、互いに対向する一対の壁部Ａ１及びＡ２と、一対の壁部Ｂ１及びＢ２とから構成された突出部は断面矩形状であったが、突出部が断面矩形状でなくてもよい。
【００７６】
・上記各実施形態では、本発明を液晶プロジェクタ１に適用した場合について説明したが、その他の投写型映像表示装置についても上記各実施形態に準じた態様をもって本発明を適用することはできる。その場合にも上記実施形態に準じた作用効果を奏することができる。
【図面の簡単な説明】
【００７７】
【図１】本発明の投写型映像表示装置を具体化した一実施形態について、同実施形態に係る液晶プロジェクタが備える光学部品の構成を示す模式図。
【図２】同実施形態に係る光学部品と、光学部品を支持する支持部材と、光学部品を冷却するための冷却風を流通させるダクトと、ダクトに接続された冷却ファンを示す斜視図。
【図３】同実施形態に係る光学部品と、それらを支持するベース部材を示す斜視図。
【図４】同実施形態に係る光学部品が一体となったプリズムユニットを示す斜視図。
【図５】同実施形態に係る光学部品と、それらに隣接して設けられたダクトと、冷却ファンとを示す斜視図。
【図６】同実施形態に係るダクトの外観を示す斜視図。
【図７】同実施形態に係るダクトの分解斜視図。
【図８】同実施形態に係るダクトの平面図。
【図９】図８のＡ−Ａ部分の断面を示す斜視図。
【図１０】図８のＢ−Ｂ部分の断面を示す斜視図。
【図１１】図８のＡ−Ａ部分のダクトの断面と光学部品を示す側面図と、その一部拡大図。
【図１２】図８のＢ−Ｂ部分のダクトの断面と光学部品を示す側面図と、その一部拡大図。
【図１３】同実施形態に係るダクトが備える流出部の形状を示す模式図。
【符号の説明】
【００７８】
Ａ１，Ａ２，Ｂ１，Ｂ２…壁部、Ｄ１，Ｄ２…間隔、Ｗ１，Ｗ２…壁面、Ｘ１，Ｘ２，Ｘ３…光軸方向、Ｙ１，Ｙ２，Ｙ３…幅方向、Ｚ…流出部において冷却風が流通する方向、１…液晶プロジェクタ、１１…ランプ、１１ａ…発光管、１１ｂ…リフレクタ、１２…インテグレータレンズ、１２ａ，１２ｂ…フライアイレンズ、１３…偏光変換素子、１４…コンデンサレンズ、１５…ミラー、１６，１７…ダイクロイックミラー、１８…ダイクロイックプリズム、１９…投写レンズ、２０，３０，４０…液晶ライトバルブ、２０ａ，３０ａ，４０ａ…入射側光学素子、２０ｂ，３０ｂ，４０ｂ…出射側光学素子、２１，３１…無機偏光板、２２，３２，４２…入射側偏光板、２３，３３，４３…光学補償板、２４，３４，４４…液晶パネル、２５，３５，４５…プリ偏光板、２６，３６，４６…出射側偏光板、３７…Ｙｅ変調素子、５１…ベース部材、５２…保持部材、５３…プリズムユニット、６０…ダクト、６０ａ，６０ｂ…ダクト部材、６０ｃ…突出部、６１，６２…流入部、６３，６４，６５，６６，６７，６８…流出部、６３ａ，６４ａ，６５ａ，６６ａ，６７ａ，６８ａ…流出部入口、６３ｂ，６４ｂ，６５ｂ，６６ｂ，６７ｂ，６８ｂ…流出部出口、６４ｃ…切り欠き、７１，７２…冷却ファン、８１…仕切り板。
【図１】
2010061004.tif 000003
【図２】
2010061004.tif 000004
【図３】
2010061004.tif 000005
【図４】
2010061004.tif 000006
【図５】
2010061004.tif 000007
【図６】
2010061004.tif 000008
【図７】
2010061004.tif 000009
【図８】
2010061004.tif 000010
【図９】
2010061004.tif 000011
【図１０】
2010061004.tif 000012
【図１１】
2010061004.tif 000013
【図１２】
2010061004.tif 000014
【図１３】
2010061004.tif 000015